(57)【要約】【課題】専用のコントローラを利用することなく、実際に連打する感触を得ることのできる連打補助装置及び連打装置を提供すること。【解決手段】本発明における連打補助装置は、手の指に取り付け、ボタンを連続で押下させる連打補助装置であって、手の指に取り付けるための固定手段と、連打速度を調整するための調整手段と、調整された連打速度で、固定手段により取り付けられた手の指を振動させる振動手段と、振動手段の動作を制御するスイッチを備え、スイッチは、固定手段により取り付けられた手の指の関節の角度に基づいて、調整手段の連打速度の調整及び振動手段の動作の実行と動作の中止の制御を行うことを特徴とする連打補助装置である。このような構成により、専用のコントローラを利用することなく、実際に連打する感触を得ることができ、連打と非連打、更に、連打の速度を容易に切り替えながら連打を行うことが可能となる。【選択図】図３
2005342182.tif 000002
【特許請求の範囲】
【請求項１】
手の指に取り付け、被押下部を連続で押下させる連打補助装置であって、
手の指に取り付けるための固定手段と、
前記固定手段により取り付けられた手の指を振動させる振動手段と、
前記振動手段の動作を制御するスイッチを備えることを特徴とする連打補助装置。
【請求項２】
手の指に取り付け、被押下部を連続で押下させる連打補助装置であって、
手の指に取り付けるための固定手段と、
前記固定手段により取り付けられた手の指を振動させる振動手段と、
前記振動手段の動作を制御するスイッチを備え、
前記スイッチは、前記固定手段により取り付けられた手の指の関節の角度に基づいて、前記振動手段の動作の実行と動作の中止の制御を行うことを特徴とする連打補助装置。
【請求項３】
手の指に取り付け、ボタンを連続で押下させる連打補助装置であって、
手の指に取り付けるための固定手段と、
連打速度を調整するための調整手段と、
前記調整手段により調整された連打速度で、前記固定手段により取り付けられた手の指を振動させる振動手段と、
前記振動手段の動作を制御するスイッチを備え、
前記スイッチは、前記固定手段により取り付けられた手の指の関節の角度に基づいて、前記振動手段の動作の実行と動作の中止の制御を行うことを特徴とする連打補助装置。
【請求項４】
手の指に取り付け、ボタンを連続で押下させる連打補助装置であって、
手の指に取り付けるための固定手段と、
連打速度を調整するための調整手段と、
前記調整手段により調整された連打速度で、前記固定手段により取り付けられた手の指を振動させる振動手段と、
前記振動手段の動作を制御するスイッチを備え、
前記スイッチは、前記固定手段により取り付けられた手の指の関節の角度に基づいて、前記調整手段の連打速度の調整及び前記振動手段の動作の実行と動作の中止の制御を行うことを特徴とする連打補助装置。
【請求項５】
前記振動手段は、更に、内部温度の上昇に応じて回路電流を制御する電流制御手段を備えることを特徴とする請求項１乃至４記載の連打補助装置。
【請求項６】
手の指に取り付け、接触したボタンを連続で押下する連打装置であって、
手の指に取り付けるための固定手段と、
前記ボタンを振動させる振動手段と、
前記振動手段の動作を制御するスイッチを備えることを特徴とする連打装置。
【請求項７】
手の指に取り付け、接触した被押下部を連続で押下する連打装置であって、
手の指に取り付けるための固定手段と、
前記被押下部を振動させる振動手段と、
前記振動手段の動作を制御するスイッチを備え、
前記スイッチは、前記固定手段により取り付けられた手の指の関節の角度に基づいて、前記振動手段の動作の実行と動作の中止の制御を行うことを特徴とする連打装置。
【請求項８】
手の指に取り付け、接触したボタンを連続で押下する連打装置であって、
手の指に取り付けるための固定手段と、
連打速度を調整するための調整手段と、
前記調整手段により調整された連打速度で、前記ボタンを振動させる振動手段と、
前記振動手段の動作を制御するスイッチを備え、
前記スイッチは、前記固定手段により取り付けられた手の指の関節の角度に基づいて、前記振動手段の動作の実行と動作の中止の制御を行うことを特徴とする連打装置。
【請求項９】
手の指に取り付け、接触したボタンを連続で押下する連打装置であって、
手の指に取り付けるための固定手段と、
連打速度を調整するための調整手段と、
前記調整手段により調整された連打速度で、前記ボタンを振動させる振動手段と、
前記振動手段の動作を制御するスイッチを備え、
前記スイッチは、前記固定手段により取り付けられた手の指の関節の角度に基づいて、前記調整手段の連打速度の調整及び前記振動手段の動作の実行と動作の中止の制御を行うことを特徴とする連打装置。
【請求項１０】
前記振動手段は、更に、内部温度の上昇に応じて回路電流を制御する電流制御手段を備えることを特徴とする請求項６乃至９記載の連打装置。
【発明の詳細な説明】
【技術分野】
【０００１】
本発明は、連打補助装置及び連打装置に関するものであり、より詳細には、親指を利用してボタンを高速に連打する連打補助装置及び連打装置に関する。
【背景技術】
【０００２】
ゲーム機等のコントローラにおいて、連打機能を備えたものは数多く存在する。連打機能を備えたコントローラのほとんどは、ボタンを押し続けることにより、断続的にボタンが押されたという入力信号を接続したコンピュータに出力する方法が取られている。この方法によれば、ボタンを押したままで何度も押しなおした状態と同じ入力信号が出力されるので連打を簡単に行うことが可能である。しかし、ボタンを押したときは常に連打と同じ状態になってしまい。ボタンを１回だけ押すという入力動作やボタンを押し下げたままにするという動作ができなくなってしまう。
【０００３】
これに対して、ボタンの押下量に応じて連打と通常の押下とを切り替える入力装置が提案されている（例えば、特許文献１など）。この方法によれば、別途スイッチを切りかえる手間をかけずにボタンの押下量を調整するだけで連打によるボタン入力と通常のボタン入力を切り替えることが可能となる。
【特許文献１】特開平７−３９６４７号公報
【発明の開示】
【発明が解決しようとする課題】
【０００４】
しかしながら、専用の入力装置を用いる方法では、通常のコントローラの代わりに専用のコントローラを接続しなくてはならず、手間と場所が必要となるものであった。また、携帯ゲーム機やアーケードゲーム機等の本体付属の入力装置を利用するものの場合は、コントローラを接続することができず利用することができないという問題点があった。更に、押したままの状態での連打は、実際にボタンを連打する感触が得られず、物足りなさを感じるユーザーも少なからず存在した。
【０００５】
本発明は、このような問題点を解決するためになされたものであり、専用のコントローラを利用することなく、実際に連打する感触を得ることのできる連打補助装置及び連打装置を提供することを目的とする。
【課題を解決するための手段】
【０００６】
本発明における連打補助装置は、手の指に取り付け、被押下部を連続で押下させる連打補助装置であって、手の指に取り付けるための固定手段と、前記固定手段により取り付けられた手の指を振動させる振動手段と、前記振動手段の動作を制御するスイッチを備えることを特徴とする連打補助装置である。このような構成により、専用のコントローラを利用することなく、実際に連打する感触を得ることのできる連打を行うことが可能となる。
【０００７】
本発明における連打補助装置は、手の指に取り付け、被押下部を連続で押下させる連打補助装置であって、手の指に取り付けるための固定手段と、前記固定手段により取り付けられた手の指を振動させる振動手段と、前記振動手段の動作を制御するスイッチを備え、前記スイッチは、前記固定手段により取り付けられた手の指の関節の角度に基づいて、前記振動手段の動作の実行と動作の中止の制御を行うことを特徴とする連打補助装置である。このような構成により、専用のコントローラを利用することなく、実際に連打する感触を得ることができ、連打と非連打を容易に切り替えながら連打を行うことが可能となる。
【０００８】
本発明における連打補助装置は、手の指に取り付け、ボタンを連続で押下させる連打補助装置であって、手の指に取り付けるための固定手段と、連打速度を調整するための調整手段と、前記調整手段により調整された連打速度で、前記固定手段により取り付けられた手の指を振動させる振動手段と、前記振動手段の動作を制御するスイッチを備え、前記スイッチは、前記固定手段により取り付けられた手の指の関節の角度に基づいて、前記振動手段の動作の実行と動作の中止の制御を行うことを特徴とする連打補助装置である。このような構成により、専用のコントローラを利用することなく、実際に連打する感触を得ることができ、連打と非連打、更に、連打の速度を容易に切り替えながら連打を行うことが可能となる。
【０００９】
本発明における連打補助装置は、手の指に取り付け、ボタンを連続で押下させる連打補助装置であって、手の指に取り付けるための固定手段と、連打速度を調整するための調整手段と、前記調整手段により調整された連打速度で、前記固定手段により取り付けられた手の指を振動させる振動手段と、前記振動手段の動作を制御するスイッチを備え、前記スイッチは、前記固定手段により取り付けられた手の指の関節の角度に基づいて、前記調整手段の連打速度の調整及び前記振動手段の動作の実行と動作の中止の制御を行うことを特徴とする連打補助装置である。このような構成により、専用のコントローラを利用することなく、実際に連打する感触を得ることができ、連打と非連打、更に、連打の速度を容易に切り替えながら連打を行うことが可能となる。
【００１０】
前記振動手段は、更に、内部温度の上昇に応じて回路電流を制御する電流制御手段を備えることを特徴としてもよい。電源のショートを防止することが可能となる。
【００１１】
本発明における連打装置は、手の指に取り付け、接触したボタンを連続で押下する連打装置であって、手の指に取り付けるための固定手段と、前記ボタンを振動させる振動手段と、前記振動手段の動作を制御するスイッチを備えることを特徴とする連打装置である。このような構成により、専用のコントローラを利用することなく、実際に連打する感触を得ることのできる連打を行うことが可能となる。
【００１２】
本発明における連打装置は、手の指に取り付け、接触した被押下部を連続で押下する連打装置であって、手の指に取り付けるための固定手段と、前記被押下部を振動させる振動手段と、前記振動手段の動作を制御するスイッチを備え、前記スイッチは、前記固定手段により取り付けられた手の指の関節の角度に基づいて、前記振動手段の動作の実行と動作の中止の制御を行うことを特徴とする連打装置である。このような構成により、専用のコントローラを利用することなく、実際に連打する感触を得ることができ、連打と非連打を容易に切り替えながら連打を行うことが可能となる。
【００１３】
本発明における連打装置は、手の指に取り付け、接触したボタンを連続で押下する連打装置であって、手の指に取り付けるための固定手段と、連打速度を調整するための調整手段と、前記調整手段により調整された連打速度で、前記ボタンを振動させる振動手段と、前記振動手段の動作を制御するスイッチを備え、前記スイッチは、前記固定手段により取り付けられた手の指の関節の角度に基づいて、前記振動手段の動作の実行と動作の中止の制御を行うことを特徴とする連打装置である。このような構成により、専用のコントローラを利用することなく、実際に連打する感触を得ることができ、連打と非連打、更に、連打の速度を容易に切り替えながら連打を行うことが可能となる。
【００１４】
本発明における連打装置は、手の指に取り付け、接触したボタンを連続で押下する連打装置であって、手の指に取り付けるための固定手段と、連打速度を調整するための調整手段と、前記調整手段により調整された連打速度で、前記ボタンを振動させる振動手段と、前記振動手段の動作を制御するスイッチを備え、前記スイッチは、前記固定手段により取り付けられた手の指の関節の角度に基づいて、前記調整手段の連打速度の調整及び前記振動手段の動作の実行と動作の中止の制御を行うことを特徴とする連打装置である。このような構成により、専用のコントローラを利用することなく、実際に連打する感触を得ることができ、連打と非連打、更に、連打の速度を容易に切り替えながら連打を行うことが可能となる。
【００１５】
前記振動手段は、更に、内部温度の上昇に応じて回路電流を制御する電流制御手段を備えることを特徴としてもよい。電源のショートを防止することが可能となる。
【発明の効果】
【００１６】
本発明によれば、専用のコントローラを利用することなく、実際に連打する感触を得ることのできる連打補助装置及び連打装置を提供することが可能となる。
【発明を実施するための最良の形態】
【００１７】
発明の実施の形態１．
図１は本発明の実施の形態１における連打補助装置の構成を示す図であり、図１（ａ）が側面から見た図、図１（ｂ）が上面から見た図である。連打補助装置１は、振動モータ１０、スイッチ１１、電源１２、指バンド１３、クッション１４を備える。
【００１８】
振動モータ１０は、連打補助装置１及び取り付けられた手の指を振動させるためのモータであり、通常使用される市販のモータ等を利用できる。手の指を振動させるという用途から変心モータが好ましい。振動モータ１０の振動のオン・オフはスイッチ１１により制御され、振動モータ１０を動作させるための電源は電源１２より供給される。スイッチ１１は、振動モータ１０の振動のオン・オフを切り替えるためのスイッチであり、オンのときに電源１２から振動モータ１０へ電源を供給し、オフのときは供給しないように制御するなどの方法により振動モータ１０の振動を制御する。スイッチ１１は、メカスイッチでも光学式スイッチでもよい。
【００１９】
電源１２は、振動モータ１０へ電源を供給するためのものであり、電池等により実装される。電源１２を構成する電池は、入手のしやすさという点では市販の乾電池が好ましいが、特に限定されない。更に電源１２は、振動モータ１０の電流制御手段として、その構成にヒューズやポリスイッチが入っていてもよい。このような構成にすることにより、電源回路のショートを防止することが可能となる。ポリスイッチは、過電流や過熱により熱せられると、素子内部の温度が上昇し、抵抗値が増大して回路電流を微小に制限する素子であり、電源ショート対策に利用される。ポリスイッチの場合は、ヒューズとは違い、電源をオフにすることにより素子温度が下がり、元の抵抗値に戻るため、交換の必要がないのが特徴である。
【００２０】
指バンド１３は、振動モータ１０と手の指を密着させて固定する手段であり、ゴムバンドやマジックテープ（登録商標）などにより実現される。本発明の実施の形態では以後、指バンド１３は手の親指に固定し、親指で操作するものとする。クッション１４は、連打補助装置１振動時の指への衝撃を吸収するためのものであり、スポンジ等の柔軟な素材で構成される。
【００２１】
続いて、図２に示すフローチャートを用いて、本発明の実施の形態にかかる連打補助装置１の処理の流れについて説明する。まず、親指を曲げた状態では、モータ内蔵部分とスイッチ１１は接触せずスイッチ１１はオフの状態となる（Ｓ１０１）。この時の連打補助装置１及び親指の状態は、図３（ａ）のようになる。
【００２２】
次に、利用者が連打をしたいときは、スイッチ１１を動作させるため、取り付けられた指を制御する。指の制御方法としては、例えば、親指を反らせる（Ｓ１０２）。親指を反らせるという行為は、親指の第一間接を逆方向に曲げる動作であり、逆方向に曲がる角度は微小な量であるが、通常の人間が逆方向に曲げられる微小な角度により、モータ内蔵部分とスイッチ１１が接触するような構成であるものとする。あるいは、通常の伸ばした状態、つまり親指を曲げていない状態でスイッチがオンになるようにしてもよい。親指を反らせると、モータ内蔵部分とスイッチ１１が接触し、スイッチ１１がオンの状態となる（Ｓ１０３）。すると、振動モータ１０が動作状態となり、振動を開始する（Ｓ１０４）。
【００２３】
振動モータ１０の振動に合わせて、取り付けられた親指も振動し、その振動の力を利用して、被押下部の連打が行われる（Ｓ１０５）。ここでの被押下部は、ゲームの入力装置におけるボタンとするが、押下可能な物体であれば特に限定されない。この時の連打補助装置１及び親指の状態は、図３（ｂ）のようになる。
【００２４】
もし、利用者が連打を中止したいときは（Ｓ１０６）、親指を曲げる、あるいは通常の伸ばした状態にすることにより（Ｓ１０７）、スイッチ１１はオフの状態となり、連打は行われない。
【００２５】
このようにして、利用者は親指の曲げ伸ばしの動作だけで、ボタンの連打を行うことが可能となる。また、親指を動かすだけなので任意にボタン連打のオン・オフを切り替えることができる。更に、実際にボタンを連打しているという感覚が利用者に伝わる。この連打補助装置を利用することにより、携帯ゲーム機や、アーケードゲーム機など連打機能のついた専用コントローラを利用することのできないゲームでも連打を行うことが可能である。
【００２６】
発明の実施の形態２．
速度調整素子を加えることにより、連打速度を切り替え可能にした例である。図４は本発明の実施の形態２における連打補助装置の構成を示す図であり、図４（ａ）が側面から見た図、図４（ｂ）が上面から見た図である。連打補助装置２は、振動モータ２０、スイッチ２１、電源２２、指バンド２３、クッション２４、速度調整素子２５を備える。
【００２７】
本発明の実施の形態２における構成及び処理の流れについては、速度調整素子２５以外については、発明の実施の形態１と同様であり、ここでは説明を省略する。速度調整素子２５は、振動モータ２０の振動の速度を調整するものであり、振動モータ２０の振動の速度に応じて親指の振動速度も変化するため、連打の速さを調整するのに利用することができる。速度調整素子２５は、スライド式や切り替え式等が考えられるが方法は限定されない。速度調整素子２５による振動モータ２０の速度切り替えは、モータ２０へ送る電流量を調整する方法や、振動速度の異なるモータを複数用意し、動作させるモータを切り替える方法等がある。この方法による目的は、モータ２０の振動数を切り替えてボタン押下の速度を切り替えるのが目的であり、モータ２０の力を増幅させるのが目的ではない。
【００２８】
あるいは、スイッチ１１に速度調整機能を組み込むようにしてもよい。即ち、スイッチ１１の押される度合いにより連打速度が調整される。スイッチ１１の押される度合いは、取り付けられた手の指の曲がり具合により決定されるので、取り付けられた手の指の関節の曲がり具合により連打速度の調整が可能となる。
【００２９】
連打補助装置２により連打を行う時の連打速度は、速度調整素子２５により調整可能である。連打速度は、指への負荷等を考慮すると、１秒間に１８〜２５回ぐらいが好ましい。速度調整素子２５による連打速度の切り替えは、随時行うことが可能であるものとする。
【００３０】
このようにして、速度調整素子２５を備えることにより、連打補助装置２は、必要に応じて速度を切り替えることも可能となる。ゲームプログラムによっては、ボタン押下の判定を１秒間に６０回行うものだけでなく、１秒間に３０回あるいは２０回しか行わないものもあるので、このような方法による連打速度の切り替えは、ボタン入力の頻度を変えるというだけでなく、対応するゲームの種類を増やすという点でも有効な方法である。
【００３１】
発明の実施の形態３．
発明の実施の形態１、２では、連打補助装置を手の指の甲側に固定し、取り付けられた指を振動させて指によりボタン連打を行っていたが、これを、手の指の平側に固定し、装置自体の振動を利用し、直接ボタンを押す連打装置としてもよい。この時の構成は、取り付け位置以外は、発明の実施の形態１、２と同様であるのでここでは説明を省略する。図５（ａ）は、連打装置を取り付けた通常の状態を、図５（ｂ）は、指を曲げることにより連打装置を動作させている状態を示す図である。発明の実施の形態１、２とは、指を曲げたときのスイッチの押され具合が逆になるため、指を曲げたときに連打装置動作、指を伸ばしたときに非動作とするのが好ましい。また、発明の実施の形態２と同様に、指の曲がり具合により、連打速度を調整できるようにしてもよいし、別途速度調整素子を備えるようにしてもよい。
【００３２】
その他の発明の実施の形態．
上述の例では、電源を電池としたが、別ユニットで電源を用意してもよいし、アダプタ等を接続して電源を供給するようにしてもよい。
【図面の簡単な説明】
【００３３】
【図１】本発明にかかる連打補助装置の構成を示す図である。
【図２】本発明にかかる連打補助装置の処理の流れを示すフローチャートである。
【図３】本発明にかかる連打補助装置の動作状態を示す図である。
【図４】本発明にかかる連打補助装置の構成を示す図である。
【図５】本発明にかかる連打装置の動作状態を示す図である。
【符号の説明】
【００３４】
１    連打補助装置
１０    振動モータ
１１    スイッチ
１２    電源
１３    指バンド
１４    クッション
２    連打補助装置
２０    振動モータ
２１    スイッチ
２２    電源
２３    指バンド
２４    クッション
２５    速度調整素子
【図１】
2005342182.tif 000003
【図２】
2005342182.tif 000004
【図３】
2005342182.tif 000005
【図４】
2005342182.tif 000006
【図５】
2005342182.tif 000007